【手続補正書】
【提出日】平成16年10月28日(2004.10.28)
【手続補正１】
【補正対象書類名】明細書
【補正対象項目名】発明の名称
【補正方法】変更
【補正の内容】
【発明の名称】映像表示装置およびコンピュータ並びに映像信号出力制御方法
【手続補正２】
【補正対象書類名】明細書
【補正対象項目名】特許請求の範囲
【補正方法】変更
【補正の内容】
【特許請求の範囲】
【請求項１】
映像ソースを入力し、その入力された映像ソースを外部映像機器への映像信号に変換して出力可能な映像表示装置において、
前記映像ソースがコピープロテクトを必要とする映像ソースであるか否かを判別する判別手段と、
コピープロテクトを必要とする映像ソースであるとき、前記外部映像機器用の映像信号が外部に出力されることを禁止する制御手段とを具備することを特徴とする映像表示装置。
【請求項２】
コピープロテクトを必要とする映像ソースを蓄積メディアから読み出し可能なドライブ装置が前記映像表示装置に装着されているか否か判別する手段をさらに具備し、
前記制御手段は、
前記ドライブ装置の装着が検出されたとき、前記外部映像機器用の映像信号を外部に出力することを禁止することを特徴とする請求項１記載の映像表示装置。
【請求項３】
前記判別手段は、
前記映像ソース内に含まれる情報に基づいて、前記映像ソースがコピープロテクトを必要とする映像ソースであるか否かを判別することを特徴とする請求項１記載の映像表示装置。
【請求項４】
前記外部映像機器用の映像信号はアナログ映像信号であり、
前記制御手段は、前記アナログ映像信号の外部への出力を禁止することを特徴とする請求項１記載の映像表示装置。
【請求項５】
デジタル圧縮符号化された動画像信号から構成される映像ソースを入力し、その入力された映像ソースをディスプレイに表示すると共に、外部ディスプレイ用の映像信号に変換して出力可能なコンピュータにおいて、
前記デジタル圧縮符号化された動画像信号を復号化する復号化部と、
この復号化部で復号化された動画像信号を、コピープロテクトされた第１の映像信号に変換して出力する第１の変換手段と、
前記ディスプレイおよび外部ディスプレイを制御する表示制御装置であって、前記復号化部によって復号化された動画像信号と画像メモリに描画されたグラフィクスデータとの合成映像信号を前記ディスプレイおよび外部ディスプレイに画面表示可能な表示制御装置と、
この表示制御装置によって得られた映像信号を第２の映像信号に変換して出力する第２の変換手段と、
前記動画像信号から構成される入力映像ソースがコピープロテクトを必要とする映像ソース、あるいは所定のデバイスから入力された映像ソースであるとき、外部に出力する映像信号を、前記第２の映像信号から、コピープロテクトされた前記第１の映像信号に切り替える制御手段と
を具備することを特徴とするコンピュータ。
【請求項６】
入力映像ソースをディスプレイに表示すると共に、外部ディスプレイ用の映像信号に変換して出力可能なコンピュータシステムにおける映像信号出力制御方法であって、
前記入力映像ソースがコピープロテクトを必要とする映像ソースであるか否かを判別し、
コピープロテクトを必要とする映像ソースであるとき、前記外部ディスプレイ用の映像信号が外部に出力されることを禁止することを特徴とする映像信号出力制御方法。
【請求項７】
コンピュータ本体と、コンピュータ本体に設けられたディスプレイと、外部ディスプレイ用の映像信号を外部に出力するための映像信号出力ポートとを有し、デジタル圧縮符号化された動画像信号を復号化して前記ディスプレイに表示すると共に、前記復号化された動画像信号を前記外部ディスプレイ用の映像信号に変換して前記映像信号出力ポートに出力するコンピュータシステムにおける映像信号出力制御方法であって、
前記デジタル圧縮符号化された動画像信号がコピープロテクトを必要とする映像ソース、あるいは所定のデバイスから入力された映像ソースであるか否かを判別し、
前記デジタル圧縮符号化された動画像信号がコピープロテクトを必要とする映像ソースであるとき、前記外部ディスプレイ用の映像信号が前記映像信号出力ポートを介して外部に出力されることを禁止することを特徴とする映像信号出力制御方法。
【請求項８】
デジタル圧縮符号化された動画像信号を復号化する復号化部と、この復号化部で復号化された動画像信号を、コピープロテクトされた第１の映像信号に変換して出力する第１の変換手段と、前記復号化部によって復号化された動画像信号と画像メモリに描画されたグラフィクスデータとの合成映像信号をディスプレイに画面表示可能な表示制御装置と、この表示制御装置によって得られた映像信号を第２の映像信号に変換して出力する第２の変換手段とを具備するコンピュータにおける映像信号出力制御方法であって、
前記デジタル圧縮符号化された動画像信号がコピープロテクトを必要とする映像ソースであるか否かを判別し、
前記デジタル圧縮符号化された動画像信号がコピープロテクトを必要とする映像ソースであるとき、外部に出力する映像信号を、前記第２の映像信号から、前記第１の映像信号に切り替えることを特徴とする映像信号出力制御方法。
【請求項９】
圧縮符号化された映像信号を復号して外部映像機器用の映像信号を出力する復号化部と、
前記圧縮符号化された映像信号がコピープロテクトを必要とするか否かを判別し、コピープロテクトを必要とする場合、コピープロテクト信号を発生する手段と、
前記コピープロテクト信号に応答して前記外部映像機器用の映像信号をコピープロテクトするための処理を実行し、コピープロテクトされた外部映像機器用の映像信号を出力する手段と、
コンピュータのディスプレイおよび外部ディスプレイを制御し、前記復号された映像信号を前記ディスプレイおよび前記外部ディスプレイ用の映像信号に変換して前記ディスプレイおよび前記外部ディスプレイに供給する表示制御部であって、前記コピープロテクト信号に応答して前記外部ディスプレイへの映像信号の供給を禁止する表示制御部と、
前記コピープロテクトされた外部映像機器用の映像信号および前記表示制御部によって得られた映像信号の一方を選択して前記外部映像機器に供給する手段であって、前記コピープロテクト信号に応答して、前記外部映像機器に供給する映像信号を前記表示制御部によって得られた映像信号から前記コピープロテクトされた外部映像機器用の映像信号に切り替える手段とを具備することを特徴とするコンピュータ。
【請求項１０】
圧縮符号化された映像信号を復号し、復号された映像信号を出力する復号化部と、
前記圧縮符号化された映像信号がコピープロテクトを必要とするか否かを判別し、コピープロテクトを必要とする場合、コピープロテクト信号を発生する手段と、
外部ディスプレイを制御する表示制御部であって、前記復号された映像信号を前記外部ディスプレイ用の映像信号に変換して出力するとともに、前記コピープロテクト信号の発生に応答して、前記外部ディスプレイ用の映像信号が前記外部ディスプレイに出力されることを禁止する表示制御部とを具備することを特徴とするコンピュータ。
【請求項１１】
縮符号化された映像信号を復号して外部映像機器用の映像信号を出力するステップと、
前記圧縮符号化された映像信号がコピープロテクトを必要とするか否かを判別するステップと、
前記圧縮符号化された映像信号がコピープロテクトを必要とする場合、コピープロテクト信号を発生するステップと、
前記コピープロテクト信号に応答して前記外部映像機器用の映像信号をコピープロテクトするための処理を実行し、コピープロテクトされた外部映像機器用の映像信号を出力するステップと、
前記復号された映像信号をコンピュータのディスプレイおよび外部ディスプレイ用の映像信号に変換して前記ディスプレイおよび前記外部ディスプレイに供給するステップと、
前記コピープロテクト信号に応答して前記外部ディスプレイへの映像信号の供給を禁止するステップと、
前記コピープロテクト信号に応答して、前記外部映像機器に供給する映像信号を前記ディスプレイおよび外部ディスプレイ用の映像信号から前記コピープロテクトされた外部映像機器用の映像信号に切り替えるステップとを具備することを特徴とする映像信号出力制御方法。
【請求項１２】
コンピュータの外部ディスプレイに映像信号を出力する映像信号出力制御方法であって、
圧縮符号化された映像信号を復号するステップと、
前記圧縮符号化された映像信号がコピープロテクトを必要とするか否かを判別するステップと、
前記圧縮符号化された映像信号がコピープロテクトを必要とする場合、コピープロテクト信号を発生するステップと、
前記復号された映像信号を前記外部ディスプレイ用の映像信号に変換して出力するステップと、
前記コピープロテクト信号の発生に応答して、前記外部ディスプレイ用の映像信号が前記外部ディスプレイに出力されることを禁止するステップとを具備することを特徴とする映像信号出力制御方法。